(57)【特許請求の範囲】
【請求項１】
リール装置を収容する筐体の前方開口部に、遊技面を構成する前扉がその一側辺部にて回動軸回りに開閉自在に取り付けられており、この前扉の開状態を検出するドアセンサが前扉の開放側側辺部の裏面に設けられたスロットマシンにおいて、
上記ドアセンサは、前扉の閉状態のときその状態を外部に出力し、閉状態から所定量開かれるまでは閉状態の出力を保持する不感帯領域を有するものであり、
上記筐体の側壁部には、上記前扉の閉状態でその開放側側辺部と筐体の側壁部とが当接する箇所に沿って、少なくとも上記ドアセンサの側方近傍を覆うカバー部材が取り付けられており、
上記カバー部材は、筐体の側壁部の内面に当接して固定された固定部と、この固定部の前縁から筐体の側壁部の前端面に沿って直角に折り曲げられかつ上記ドアセンサが当接可能な当接部と、この当接部の外縁から直角に折り曲げて前方へ突出する突出部とを有しており、この突出部は、前扉の閉状態のとき上記ドアセンサの外側に位置するとともに、このドアセンサの不感帯領域内で前扉を開いたときでもその開放側側辺部と筐体の側壁部との隙間を塞ぐのに十分な突出寸法に設定されていることを特徴とするスロットマシンの扉開放検出用ドアセンサ保護構造。
【請求項２】
上記ドアセンサにより前扉の開状態を検出したときには、スロットマシン自体又は遊技場内の他の場所に設けた報知装置が作動して前扉の開状態を報知するようになっている請求項１記載のスロットマシンの扉開放検出用ドアセンサ保護構造。
【発明の詳細な説明】
【０００１】
【発明の属する技術分野】
本発明は、遊技機としてのスロットマシンに装備される扉開放検出用ドアセンサを保護するための構造に関する。
【０００２】
【従来の技術】
一般に、スロットマシンにおいては、リール装置や制御ボックスなどを収納する筐体の前方開口部に、リール表示窓などの表示部及び操作部を有する前扉がその左側側辺部をヒンジ側として開閉可能に取り付けられており、この前扉には管理者以外の者が開放するのを防止するために施錠装置が設けられている。また、パチンコ機においては、遊技盤や操作ハンドルなどを備えた表板が機枠に対し開閉可能に取り付けられているとともに、表板の遊技盤を覆うガラス扉が表板に開閉可能に取り付けられており、上記表板及びガラス扉にも施錠装置が設けられている（実開平３−６７６８６号公報参照）。
【０００３】
しかし、上記スロットマシンの前扉あるいはパチンコ機の表板やガラス扉など遊技機の遊技面を構成する扉は、施錠装置を設けている場合でも不正目的のために無断で開放される虞があり、これを未然に防止するために、施錠装置とは別に不正警報装置を装備することが古くから提案され、実用化されている。例えば実公昭３９−７５８１号公報及び同４０−９１５７号公報には、パチンコ機における表板の向かって左側であるヒンジ側の側辺部又は右側である開放側の側辺部に対応する機枠の前縁部にドアセンサを設け、このドアセンサにより表板の開状態を検出したときには、遊技機自体又は遊技場の制御室などに設けたブザーやパイロットランプなどからなる警報器を作動させ、音や光で警報を発するようにしたものが開示されている。
【０００４】
【発明が解決しようとする課題】
ところで、遊技機の扉開放検出用に一般に使用されるドアセンサは、所定の作動ストロークを有するプッシュ型センサや光センサなどからなり、扉が閉状態から所定量開かれるまでは作動しない不感帯領域を有していることから、その取付位置との関係で次のような問題がある。
【０００５】
すなわち、ドアセンサが扉のヒンジ側側辺部又はこれと対向する遊技機の枠部（スロットマシンにおける筐体の前方開口部やパチンコ機における機枠の前縁部など）に取り付けられている場合、扉の開き度合いが比較的大きくないとドアセンサは扉の開状態を検出することができないため、扉を少しこじ開けて扉と枠部との隙間から不正行為が行われる虞がある。
【０００６】
一方、ドアセンサが扉の開放側側辺部又はこれと対向する遊技機の枠部に取り付けられている場合、扉の開き度合いが小さくてもその開状態を検出することができる利点があるが、ドアセンサ自体が不正行為の目標に晒される虞がある。また、この場合にもドアセンサの不感帯領域の限度まで扉をこじ開け、その僅かの隙間から板状のものやワイヤを差し込んで、遊技機の内部スイッチやセンサ（例えばスロットマシンであればメダル検出センサなど、パチンコ機であれば遊技盤の玉入賞センサなど）を誤作動させたり、設定を変えたりする不正行為が行われる虞もある。
【０００７】
本発明はかかる点に鑑みてなされたものであり、その課題とするところは、特に、スロットマシンにおけるドアセンサの取付位置が後者の場合、つまりドアセンサが前扉の開放側側辺部に取り付けられている場合の不正行為の防止対策の一環として、ドアセンサ自体の不正行為を防止し得るスロットマシンの扉開放検出用ドアセンサ保護構造を提供するものである。
【０００８】
【課題を解決するための手段】
上記の課題を解決するため、請求項１に係る発明は、リール装置を収容する筐体の前方開口部に、遊技面を構成する前扉がその一側辺部にてヒンジなどの回動軸回りに開閉自在に取り付けられており、この前扉の開状態を検出するドアセンサが前扉の開放側側辺部の裏面に設けられたスロットマシンにおいて、以下のような構成にする。すなわち、上記ドアセンサは、前扉の閉状態のときその状態を外部に出力し、閉状態から所定量開かれるまでは閉状態の出力を保持する不感帯領域を有するものであり、上記筐体の側壁部に、上記前扉の閉状態でその開放側側辺部と筐体の側壁部とが当接する箇所に沿って、少なくとも上記ドアセンサの側方近傍を覆うカバー部材を取り付ける。また、上記カバー部材を、筐体の側壁部の内面に当接して固定された固定部と、この固定部の前縁から筐体の側壁部の前端面に沿って直角に折り曲げられかつ上記ドアセンサが当接可能な当接部と、この当接部の外縁から直角に折り曲げて前方へ突出する突出部とを有する構成にし、この突出部を、前扉の閉状態のとき上記ドアセンサの外側に位置させるとともに、このドアセンサの不感帯領域内で前扉を開いたときでもその開放側側辺部と筐体の側壁部との隙間を塞ぐのに十分な突出寸法に設定する構成にする。
【０００９】
この構成では、前扉の閉状態ではその開放側側辺部と筐体の側壁部とが当接する箇所に沿って設けられたカバー部材によってドアセンサの側方近傍が覆われており、このドアセンサ自体に対する不正行為を防止できることになる。その上、たとえ前扉がドアセンサの不感帯領域の限度までこじ開けられた場合でも、前扉の開放側側辺部と筐体の側壁部との隙間がカバー部材によって塞がれているため、ドアセンサに対する不正行為だけでなく、スロットマシンの内部スイッチやセンサに対する不正行為をも防止できることになる。
【００１０】
請求項２に係る発明は、上記ドアセンサの出力信号の利用形態を具体的に示すものである。すなわち、ドアセンサにより前扉の開状態を検出したときには、スロットマシン自体又は遊技場内の他の場所に設けた報知装置を作動させて前扉の開状態を報知する構成とする。ここで、報知装置とは、例えばスロットマシンの上部ランプ等の塔載ランプや島ランプなどの光学式報知装置、あるいはスロットマシンのスピーカなどの音声式報知装置などである。
【００１１】
【発明の実施の形態】
以下、本発明の実施の形態を図面に基づいて説明する。
図１及び図２は本発明の一実施形態に係る扉開放検出用ドアセンサ保護構造を備えたスロットマシンＡを示す。このスロットマシンＡは、遊技面を構成する前扉１を有し、この前扉１は、リール装置やホッパー装置などの装置類（図示せず）を収納する筐体２の前方開口部に対し向かって左側側辺部でヒンジ３（図３参照）を介してそのヒンジ軸回りに開閉自在に取り付けられている。
【００１２】
上記前扉１の表面側には３つのリール表示窓６，６，６、クレジット枚数表示部７、払出枚数表示部８、役物当選回数表示部９、メダル投入口１０、スタートレバー１１、３つの停止ボタン１２ａ，１２ｂ，１２ｃ、１ベットボタン１３、２ベットボタン１４、３ベットボタン１５、メダル返却ボタン１６、精算スイッチ１７、ドア施錠装置１８、メダル払出口１９及びメダル受け皿２０、スピーカ孔群２１、上部ランプ２２、上パネル２３、下パネル２４などが設けられている。
【００１３】
上記３つのリール表示窓６，６，６及びその周辺には横３本と斜め２本の計５本の入賞ラインＬ１〜Ｌ５が表示されており、メダル投入口１０に投入されたメダルの枚数が１枚であれば中央の入賞ラインＬ１のみが、２枚であれば横３本の入賞ラインＬ１〜Ｌ３が、３枚であれば５本全ての入賞ラインＬ１〜Ｌ５がそれぞれ有効化される。これらのリール表示窓６，６，６からは、筐体側のリール装置の３つの回転リール２６ａ，２６ｂ，２６ｃが見えるようになっている。各回転リール２６ａ〜２６ｃの外周面にはそれぞれ複数の図柄（図示せず）が描かれており、リール停止時には各回転リールの３駒分の図柄が各入賞ラインＬ１〜Ｌ５上に整列して並ぶようになっている。
【００１４】
上記スタートレバー１１は３つの回転リール２６ａ〜２６ｃを一斉に回転始動させるものであり、上記３つの停止ボタン１２ａ〜１２ｃはそれぞれ対応する回転リール２６ａ〜２６ｃの回転を個別に停止させるものである。そして、上述の如くメダルの投入枚数に応じて有効化された入賞ラインＬ１〜Ｌ５上に所定の図柄の組み合わせが揃うとその組み合わせに応じた獲得枚数が払出枚数表示部８に表示され、その枚数のメダルがメダル払出口１９からメダル受け皿２０に払い出されるようになっている。
【００１５】
また、スロットマシンＡは複数枚のメダルを予めメダル投入口１０から投入して預けておき、この預けメダルを消費しつつゲームを行うことができるいわゆるクレジット形式のものであり、クレジット枚数表示部７には預けメダルの枚数が表示される。そして、スタートレバー１１の操作に先立って１ベットボタン１３を押すと１枚のメダルが、２ベットボタン１４を押すと２枚のメダルが、３ベットボタン１５を押すと３枚のメダルがそれぞれ投入された場合と同様に入賞ラインＬ１〜Ｌ５が有効化される。精算スイッチ１７は、預けメダルを精算してメダル払出口１９からメダル受け皿２０に払い出すためのものである。
【００１６】
一方、前扉１の裏面側には、図３に示すように、上部ランプ基板３１や中間ランプ基板３２等の各種基板、リール照明用蛍光灯３３、セレクターユニット３４及びスピーカ３５などが設けられている。セレクターユニット３４は、メダル投入口１０から投入されたメダルを検査した後筐体２側のホッパー装置へ回収するとともに、ホッパー装置から供給されるメダルをメダル払出口１９に導いて払い出しをするようになっており、このセレクターユニット３４内の上部（つまりメダル投入口１０寄りの位置）には投入メダルを検出するメダル検出センサ３６が設けられている。
【００１７】
上記ドア施錠装置１８は管理者以外の者が前扉１を無断で開放するのを防止するためのものであるが、このドア施錠装置１８とは別に前扉１の無断開放を未然に防止するために、前扉１の開状態を検出するドアセンサ４１が前扉１のヒンジ側と反対側である開放側（図１で右側）側辺部の上部に設けられているとともに、このドアセンサ４１の検出信号を受けて作動する報知装置（図示せず）が装備されている。
【００１８】
上記ドアセンサ４１は、図４ないし図６に詳示するように、プッシュ型スイッチからなるもので、スイッチケース４１ａ内より最大５ｍｍ程度突出するスイッチボタン４１ｂを筐体２の前端面に向けた状態で前扉１の裏面側に取付金具（図示せず）を介して取り付けられている。そして、前扉１の閉状態では図５（ａ）に示すようにスイッチボタン４１ｂがスイッチケース４１ａ内に略完全に埋没してＯＮとなり、この閉状態から図４及び図５（ｂ）に示すように前扉１が所定量開かれ、スイッチボタン４１ｂがスイッチケース４１ａ内より２ｍｍ程度突出するようになるまではＯＦＦに切り替わらない、つまり前扉１の開状態の信号を出力しない不感帯領域を有している。尚、ドアセンサ４１の出力信号を受ける報知装置は、図示していないが、光学式報知手段として、スロットマシンＡ自体の上部ランプ２２やリール照明用蛍光灯３３などの塔載ランプ類若しくは島ランプを用いて、それらの点灯又は点滅で前扉１の開状態を報知したり、あるいは音声式報知手段として、スロットマシンＡのスピーカ３５を用いてブザー音などの警報音若しくは人声音で「扉が開いています」を流すことで報知を行ったりするようになっている。
【００１９】
そして、本発明の特徴点として、上記前扉１の閉状態でその開放側側辺部と筐体２の前方開口部の右側側壁部とが当接する箇所に沿って、ドアセンサ４１の側方に位置する前扉１の上部から下部までの広い範囲を覆うカバー部材４３が筐体２の前方開口部の右側側壁部に取り付けられている。このカバー部材４３は、筐体２の右側側壁部の内側面に当接してビスなどにより固定された固定部４３ａと、この固定部４３ａの前縁から筐体２の右側側壁部の前端面に沿って直角に折り曲げられた当接部４３ｂと、この当接部４３ｂの外縁から直角に折り曲げて前方へ突出する突出部４３ｃとを有しており、上記ドアセンサ４１のスイッチボタン４１ｂはカバー部材４３の当接部４３ｂに当接するようになっている。また、カバー部材４３の突出部４３ｃは、前扉１の閉状態のときドアセンサ４１の外側に位置するとともに、このドアセンサ４１の不感帯領域内で前扉１を開いたときでもその開放側側辺部と筐体２の右側側壁部との隙間を塞ぐのに十分な幅（突出寸法）に設定されている。
【００２０】
従って、上記実施形態においては、前扉１の閉状態ではその開放側側辺部と筐体２の前方開口部とが当接する箇所に沿って設けられたカバー部材４３によってドアセンサ４１の側方が覆われているため、このドアセンサ４１自体に対する不正行為を防止することができる。その上、前扉１がドアセンサ４１の不感帯領域内で開かれたときにもドアセンサ４１の側方に位置する前扉１の開放側側辺部と筐体２の右側側壁部との隙間が上記カバー部材４３により塞がれているため、ドアセンサ４１に対する不正行為の防止化をより確実に図ることができる。
【００２１】
また、上記カバー部材４３は、前扉１がドアセンサ４１の不感帯領域内で開かれたときドアセンサ４１の側方だけでなく、ドアセンサ４１の側方に位置する前扉１の上部から下部までの広い範囲に亘って前扉１の開放側側辺部と筐体２の右側側壁部との隙間を塞ぐようになっているため、ドアセンサ４１に対する不正行為だけでなく、スロットマシンＡのメダル検出センサ３６などの内部スイッチやセンサに対する不正行為をも防止することができ、不正行為の防止対策上非常に有効なものである。
【００２２】
【００２３】
【００２４】
尚、ドアセンサとしては、実施形態の如きプッシュ型スイッチに限らず、光センサなどその他のセンサ類を用いた場合にも本発明を同様に適用することができ、特に、前扉が閉状態から所定量開かれるまでは作動しない不感帯領域を有するドアセンサの場合に適用するのが有効である。
【００２５】
【発明の効果】
以上のように、本発明におけるスロットマシンの扉開放検出用ドアセンサ保護構造によれば、前扉の閉状態ではその開放側側辺部の裏面に設けられたドアセンサの側方近傍がカバー部材によって覆われているため、このドアセンサ自体に対する不正行為を防止することができ、スロットマシンの不正行為の防止対策上有効なものである。
【００２６】
その上、たとえ前扉がドアセンサの不感帯領域の限度までこじ開けられた場合でも、前扉の開放側側辺部と筐体の側壁部との隙間がカバー部材によって塞がれているため、ドアセンサに対する不正行為だけでなく、スロットマシンの内部スイッチやセンサに対する不正行為をも防止することができ、不正行為の防止対策上非常に有効である。
【図面の簡単な説明】
【図１】  本発明の一実施形態に係るスロットマシンの正面図である。
【図２】  同右側面図である。
【図３】  上記スロットマシンの前扉を取り外し、その裏側から見た背面図である。
【図４】  図２のドアセンサ取付箇所付近の拡大図である。
【図５】  図４のＸ−Ｘ線における断面図であり、（ａ）は扉閉状態を示し、（ｂ）は扉開状態を示す。
【図６】  ドアセンサの拡大図であり、（ａ）は側面図、（ｂ）は正面図である。
【符号の説明】
Ａ    スロットマシン
１    前扉
２    筐体
３    ヒンジ
４１    ドアセンサ
４３    カバー部材
【図１】
0004008160.tif 000002
【図２】
0004008160.tif 000003
【図３】
0004008160.tif 000004
【図４】
0004008160.tif 000005
【図５】
0004008160.tif 000006
【図６】
0004008160.tif 000007